(57)【要約】【課題】  主に住宅に用いられるときに、居住者等の利用者の好みに応じて火災警報の性能を設定できる火災警報器を得る。【解決手段】  火災現象に基づく環境変化を検出し出力する検出部と、該検出部の出力に基づいて警報の要否を判別する判別部と、該判別部からの火災出力を受けて警報を発する警報部と、を筐体内に備えている火災警報器である。前記判別部は、前記検出部からの出力から火災を判別するための判別レベルが設定されていて、さらに、該判別レベルを変更できる調整手段が前記筐体の外部から操作できるように配置されている。これによって、利用者が自分の好みに応じて簡単に判別レベルの調整を行うことができる。【選択図】  図１
2005293309.tif 000002
【特許請求の範囲】
【請求項１】
火災現象に基づく環境変化を検出し出力する検出部と、該検出部の出力に基づいて警報の要否を判別する判別部と、該判別部からの火災出力を受けて警報を発する警報部と、を筐体内に備えている火災警報器において、
前記判別部は、前記検出部からの出力から火災を判別するための判別レベルが設定されていて、さらに、該判別レベルを変更できる調整手段が、前記筐体の外部から操作できるように配置されていることを特徴とする火災警報器。
【請求項２】
判別部は、判別レベルとして火災判別レベルとプレアラームレベルとを有し、該火災判別レベルは固定であり、該プレアラームレベルは調整手段によって調整できるものである請求項１の火災警報器。
【請求項３】
警報部は、判別部からの火災出力によって発する警報音に関する音量や音質等を変更できる鳴動調整手段が、筐体の外部から操作できるように配置されている請求項１の火災警報器。
【請求項４】
警報部は、判別部からの火災判別レベルに基づく火災出力およびプレアラームレベルからのプレ出力のそれぞれに応じた警報音を発生し、該火災出力に対する警報音の音量は固定であり、該プレ出力に対する警報音は鳴動調整手段によって調整できるものである請求項３の火災警報器。
【請求項５】
警報部は、音声メッセージによる警報音を発するとともに、プレ出力に対する警報音には、設置場所の環境劣化に対するメッセージを包含あるいは選択できる請求項４の火災警報器。
【発明の詳細な説明】
【技術分野】
【０００１】
この発明は、火災警報器に関し、とくに利用者によって調整できる火災警報器に関する。
【背景技術】
【０００２】
従来の火災警報器では、火災を判別するため、熱または煙等が所定のレベルになることを判別しており、このレベルは火災として熱や煙の存在を検出できるとともに、暖房機（熱の場合）や喫煙（煙の場合）による誤報を防止するレベルとして一定にされている。
【０００３】
そして、このような火災警報器には、警報のための部材としてブザーや音声警報用のスピーカなどが設けられていて、広い範囲に火災を知らせることができるように、必要な音量でブザー音や音声警報を鳴動するようにされている。
【０００４】
従来の火災警報器として、火災時に発せられる警報を一旦停止できる引き紐が設けられた住宅用火災警報器が知られている（例えば、特許文献１を参照）。
【特許文献１】特開２００３−９９８７１号公報
【発明の開示】
【発明が解決しようとする課題】
【０００５】
しかし、利用者によっては誤報のレベルが低かったり、誤報が出てもいいので高感度にしたいという要望があり、従来の火災警報器では個別の利用者による調整は不可能であった。
【０００６】
同様に、警報音の音量や音質は、警報する住宅等の大きさに関わらず一定であり、設置場所や居住者の聴力に関わらず鳴動する。
【０００７】
したがって、この発明では、主に住宅に用いられるときに、居住者等の利用者の好みに応じて火災警報の性能を設定できる火災警報器を得ることを目的としている。
【課題を解決するための手段】
【０００８】
この発明の請求項１に係る火災警報器は、火災現象に基づく環境変化を検出し出力する検出部と、該検出部の出力に基づいて警報の要否を判別する判別部と、該判別部からの火災出力を受けて警報を発する警報部と、を筐体内に備えている火災警報器において、前記判別部は、前記検出部からの出力から火災を判別するための判別レベルが設定されていて、さらに、該判別レベルを変更できる調整手段が、前記筐体の外部から操作できるように配置されていることを特徴とするものである。
【０００９】
そして、この発明の請求項２に係る火災警報器は、判別部は、判別レベルとして火災判別レベルとプレアラームレベルとを有し、該火災判別レベルは固定であり、該プレアラームレベルは調整手段によって調整できるものである。
【００１０】
また、この発明の請求項３に係る火災警報器は、警報部は、判別部からの火災出力によって発する警報音に関する音量や音質等を変更できる鳴動調整手段が、筐体の外部から操作できるように配置されているものである。
【００１１】
さらに、この発明による請求項４に係る火災警報器は、警報部は、判別部からの火災判別レベルに基づく火災出力およびプレアラームレベルからのプレ出力のそれぞれに応じた警報音を発生し、該火災出力に対する警報音の音量は固定であり、該プレ出力に対する警報音は鳴動調整手段によって調整できるものである。
【００１２】
またさらに、この発明による請求項５に係る火災警報器は、警報部は、音声メッセージによる警報音を発するとともに、プレ出力に対する警報音には、設置場所の環境劣化に対するメッセージを包含あるいは選択できるものである。
【発明の効果】
【００１３】
請求項１に係る火災警報器では、判別レベルを変更できる調整手段が筐体の外部から操作できるように配置されているので、利用者が自分の好みに応じて簡単に判別レベルの調整を行うことができるという効果がある。
【００１４】
そして、請求項２に係る火災警報器は、利用者が調整できるのをプレアラームレベルとし、火災判別レベルを固定とすることで、一般的な火災判別機能を保証するという効果がある。
【００１５】
また、請求項３に係る火災警報器は、鳴動調整手段が筐体の外部から操作できるように配置されているので、利用者が自分の好みに応じて簡単に音量や音質等の調整を行うことができるという効果がある。
【００１６】
さらに、請求項４に係る火災警報器は、利用者が音量等調整できるのをプレアラームレベルとし、火災判別レベルでの音量を固定とすることで、一般的な火災判別機能を保証するという効果がある。
【００１７】
またさらに、この発明による請求項５に係る火災警報器は、音声メッセージに、設置場所の環境劣化に対するメッセージを利用できるので、環境に応じて、喫煙センサや空気汚損検出センサのような用途を含めさせることができるという効果がある。
【発明を実施するための最良の形態】
【００１８】
実施形態１
図１は、本発明の一実施形態である火災警報器を示すブロック回路図、図２は、火災警報器の外観についての背面図、図３はその側面図、図４はその正面図、および、図５は、火災警報器の取付を示す説明図である。
【００１９】
この実施形態の火災警報器Ｓを構成する各ブロックについて説明すると、図１において、１は電源としての電池、２は電池１の電圧を監視することによる電源監視回路、３は電源監視回路２への電源供給を開閉するスイッチ回路、４は一定の電圧（例えば３Ｖ）を供給する定電圧回路、５は煙や熱等を検出する検出部としての火災検出回路、６は電流制限用の抵抗７が直列に接続された試験用を兼用した音響停止スイッチ、８はこの火災警報器全体の処理制御を行う判別部としてのマイクロコンピュータ（マイコン）、９はマイコン８が火災を判別する際の火災判別レベルを可変抵抗等によって調整できる感度設定回路、１０は警報部として各種フレーズの音声をスピーカ１１から出力させる機能を有する音声合成回路、１２は音声を出力するときに閉じられる音声合成回路１０への電源供給用のスイッチ回路、１３はスピーカ１１から発声される音声の音量を可変抵抗等によって調整できる音量設定回路である。
【００２０】
上記のように構成される火災警報器Ｓの外観については、図２乃至図５に示すように、本体２０の背面側に露出して、感度設定用ツマミ２１と音量設定用ツマミ２２とが配置されている。これらの感度設定用ツマミ２１および音量設定用ツマミ２２は、それぞれ上記の感度設定回路９および音量設定回路１３の図示しない可変抵抗に接続されており、両ツマミ２１、２２を回動させることで、図示しない可変抵抗の抵抗値を調整し、火災判別レベルおよび音声の音量を設定できるように構成されている。
【００２１】
これらの感度設定用ツマミ２１および音量設定用ツマミ２２は、本体２０の最背面２３の段部２４が形成される外周面２５に、切り欠け部２６、２７が形成されて、そこから一部分を露出している。そして、その外周面２５に沿う位置に、両ツマミ２１、２２の端部が配置されることにより、指で最背面２３あるいは外周面２５に沿うようにツマミ２１、２２に触れて、回動する操作を行うことができる。
【００２２】
ここで、両ツマミ２１、２２は、その円盤状の操作部分の外周に溝のような抵抗形状が形成され、指によって回しやすい形状とされている。また、詳細に示さないが、両ツマミ２１、２２には、最大、最小を示すマークおよび可変の段階を表す目盛が示されている。
【００２３】
そして、このような両ツマミ２１、２２の配置は、火災警報器Ｓの背面側に設けられるとともに、天井や壁への取り付けの際のベース部材２８との係合の妨げとならず、火災警報器Ｓの正面からは見えず、関係しない者が安易に触れない位置としている。また、火災警報器Ｓの最背面２３から外周面２５および段部２４を介して最外周２９があることにより、火災警報器Ｓの設置状態では、両ツマミ２１、２２には、ほぼ触れることができない状態となっている。
【００２４】
この火災警報器Ｓの本体２０の形状は、煙式に関するもので、外周を金網で覆われた煙流入口３０が形成されている。また、火災警報器Ｓの正面には、音響停止スイッチ６をオン操作するための押ボタン３１および紐３２が示されており、スピーカ１１の位置に対応する音響口３３が示されている。
【００２５】
また、火災警報器Ｓの最背面２３には、ベース部材２８と係合する金具３３、３４が設けられている。これらがベース部材２８のエッジ３５、３６に引っ掛かることで、設置面にねじ止めされたベース部材２８に本体２０が係合する。その際、ベース部材２８の立片３７、３８はそれぞれ本体の外周面２５に当接するような位置にあり、係合のための本体２０の回動が行いやすいようにされている。
【００２６】
このような、感度設定用ツマミ２１を感度設定回路９に結合させることにより、そのツマミ２１を回動させることによって、通常は、例えば約５％／ｍの煙濃度となるときに火災警報を行うとすると、住宅内に設置されるときのその居住者が、初期火災での警報を希望して高感度の火災検出を行いたいときに、そのツマミ２１を回動させることによって、例えば約２％／ｍで火災警報を発するように、火災警報器Ｓを高感度化することができる。
【００２７】
また、火災警報器Ｓを設置している部屋において、複数名で喫煙する機会があるときに、低感度の火災検出を行わせることで、誤報の発生を防止でき、そのツマミ２１を上記高感度化とは逆の方向に回動させることによって、例えば約１０％／ｍで火災警報を発するように、火災警報器Ｓを低感度化することができる。
【００２８】
このときの感度の変更範囲は任意に設定でき、上記のように高感度から低感度まで設定できても良いが、所定の検出感度の維持を担保する場合には、最低感度を所定感度として、高感度化の方向のみを可能とすることもできる。これによって、低感度化の放置による実火災時の警報遅れを防止することができる。
【００２９】
また、上記のような、音量設定用ツマミ２２を音量設定回路１３に結合させることにより、そのツマミ２２を回動させることによって、通常の火災警報用の音声に比べて、住宅が隣接して居住者が全員健常者である場合に、警報の音量は若干小さい目でよいとして、そのツマミ２２を回動させることによって、警報音声の音量を抑えて、近所へ配慮することができる。
【００３０】
また、火災警報器Ｓが設置されている住宅において、高齢者で難聴気味の居住者がいる場合には、音量を大きく行わせることで、確実な火災警報が可能となり、そのツマミ２１を上記とは逆の方向に回動させることによって、火災警報の音量を大きくできる。
【００３１】
このときの音量の変更範囲は任意に設定でき、上記のように初期状態よりも大小両方に設定できても良いが、所定の音量の維持を担保する場合には、最小音量を初期の音量として、大音量の方向のみを可能とすることもできる。これによって、小さく抑えることによる実火災時の認識遅れを防止することができる。
【００３２】
とくに、居住者に高齢者等の難聴気味の方が含まれている場合には、通常以上の音量が望まれ、確実に火災を知らせることが人命保護に重要である。
【００３３】
なお、この実施形態としては、警報音についての音量を設定する鳴動設定手段について説明しているが、これに限らず、音質や音色について複合あるいは単独で調整できるものであってよい。すなわち、高齢者では、高音域が聞こえづらいということがあり、また、やさしく聞こえる音色が望まれたりすることから、鳴動に関して各種調整ができるのが万全である。
【００３４】
つぎに、上記のような構成による火災警報器Ｓの動作について、説明する。
【００３５】
まず、全体の動きについて、電池１がセットされることで電源がオンになり、初期設定が行われる。そして、スイッチ入力判定処理、火災発生の有無を判断する火災監視の処理、火災検出回路５の断線の有無を判断する断線監視の処理、電池電圧低下監視の処理および監視結果出力の処理の各ルーチンが順次繰り返される。
【００３６】
つぎに、個々のルーチンにつき、簡単に説明すると、まず、各スイッチ入力判定処理のルーチンは、マイコン８が音響停止スイッチ６からの入力の有無を見て、スイッチ６から入力がなければ処理を終了する。また、スイッチ８から入力があれば、次に火災フラグのセットの有無を見て、火災フラグがセットされていれば火災状態を示す火災音声フレーズが出力されているので、火災音声フレーズを例えば５分間停止させるための火災音声停止フラグをセットし、このルーチンを終了する。
【００３７】
また、火災フラグがセットされてなく、次に断線フラグのセットの有無で、断線フラグがセットされていれば、異常を示す音声メッセージとしての異常音声「警報器が異常です。交換してください。」を１回出力するための処理をし、このルーチンを終了する。
【００３８】
また、断線フラグがセットされてなければ、次に電圧低下確定フラグのセットの有無で、電圧低下確定フラグがセットされていれば、異常音声「警報器が異常です。交換してください。」を１回出力するための処理をし、このルーチンを終了する。
【００３９】
また、電圧低下確定フラグがセットされていなければ、次に電圧低下検出中フラグのセットの有無を見て、電圧低下検出中フラグがセットされていれば、異常音声「警報器が異常です。交換してください。」を１回出力するための処理をし、このルーチンを終了する。
【００４０】
また、電圧低下検出中フラグがセットされていなければ、火災警報器が正常な状態にあると判定され、正常であることを示すため、火災音声「火事です。火事です。」を１回出力するための処理をし、このルーチンを終了する。
【００４１】
つぎに、火災監視処理のルーチンは、まず火災検出回路５からの検出値をマイコン８が取り込んで、この検出値と火災判別レベルとを比較することで、つまり検出値が火災判別レベル以上となったか否かを見ることで、火災が発生したか否かを判断し、火災が発生していないと判定されれば、火災フラグをクリアし、次いで、火災音声の音を鳴らさない期間を設定するため、マイコン８内で処理される５分間タイマをクリアし、さらに火災音声停止フラグもクリアし、このルーチンを終了する。
【００４２】
また、火災が発生していると判定されれば、火災フラグをセットした後、火災音声停止フラグのセットの有無を見て、火災音声停止フラグがセットされていれば、５分間タイマのカウントを継続し、次いで、５分経過の有無を見て、５分経過していなければ、このルーチンを終了する。
【００４３】
また、５分経過したと判定されれば、火災音声を出せるように、５分間タイマをクリアし、火災音声停止フラグもクリアし、このルーチンを終了する。
【００４４】
つぎに、断線監視処理のルーチンは、まず火災フラグのセットの有無を見て、火災フラグがセットされていれば火災検出が優先されるため、このルーチンを終了する。
【００４５】
また、火災フラグがセットされていなければ、次に火災検出回路５からの検出値から断線しているか否かが判断される。すなわち検出値がほとんど得られない状態か否かを見ることで、出力が得られなければ、何らかの回路素子が断線していると判断し、断線していなければ、断線フラグをクリアし、処理を終了する。また、断線していると判定されれば、断線フラグをセットし、このルーチンを終了する。
【００４６】
つぎに、電池電圧低下監視処理のルーチンは、まず火災フラグの有無を見て、火災フラグがセットされていれば、前述の断線監視処理のルーチンと同様、火災検出が優先されるため、このルーチンを終了する。
【００４７】
また、火災フラグがセットされていなければ、次に電池電圧低下確定フラグの有無を見て、電池電圧低下確定フラグがセットされていれば、その状態で保持されているため、それ以降の電池電圧低下監視処理は行わず、このルーチンを終了する。
【００４８】
また、電池電圧低下確定フラグがセットされていなければ、電池１の電圧が所定の電圧値以下（例えば５Ｖ）か否かを見て、所定の電圧値以下でなければ、正常であるため、電圧低下検出中フラグをクリアして、このルーチンを終了する。
【００４９】
また、電池１の電圧が所定の電圧値以下であれば、電圧低下検出中フラグをセットしてから、２回連続して電圧低下が検出されたか否かを見て、１回目であれば、このルーチンを終了する。
【００５０】
また、２回連続して電圧低下が検出されたと判定されれば、電池電圧低下確定フラグをセットし、このルーチンを終了する。
【００５１】
つぎに、監視結果出力処理のルーチンは、まず火災フラグの有無を見て、火災フラグがセットされていれば、次に火災音声停止フラグの有無を見て、火災音声停止フラグがセットされていなければ、火災が発生しているので、火災発生を示す音声メッセージとしての火災音声「火事です。火事です。」を出力して、このルーチンを終了する。
【００５２】
また、火災フラグがセットされていない場合と同様、火災フラグがセットされていても火災音声停止フラグがセットされている場合も、火災音声は出力せずに、次に移る。
【００５３】
次に、断線フラグの有無を見て、断線フラグがセットされていなければ、次に電池電圧低下確定フラグの有無を見て、電池電圧低下確定フラグもセットされていなければ、このルーチンを終了する。
【００５４】
また、断線フラグまたは電池電圧低下確定フラグがセットされている場合は、マイコン８の内部で処理される１時間タイマ（異常音声出力用）のカウントが開始されているか否かを見る。そして１時間タイマのカウントが開始されていないと判定されれば、異常音声「警報器が異常です。交換してください。」を２回出力させる処理として、マイコン８から音声合成回路１０に音出力および音声の選択信号を入力して異常音声を１回出力させた後、そのバック信号を受けてから再度マイコン８から音声合成回路１０に音出力および選択信号を入力して異常音声を出力させる。次いで、１時間タイマをカウントする。
【００５５】
また、１時間タイマのカウントが開始されていれば、１時間タイマのカウントを継続させる。次いで、１時間経過したか否かを見て、１時間経過していなければ、１時間タイマと同様の４０秒間タイマ（警報音出力用）のカウントを開始する。次いで、４０秒経過したか否かを見て、４０秒経過していなければ、処理を終了し、４０秒経過すれば、４０秒間タイマのカウンタをクリアして、警報音「ピッ」を出力し、このルーチンを終了する。
【００５６】
また、１時間経過したと判定されれば、前述と同様に異常音声「警報器が異常です。交換してください。」を２回出力させてから、１時間タイマのカウンタをクリアして、このルーチンを終了する。
【００５７】
この実施形態１における火災警報器Ｓでは、火災現象に基づく環境変化を検出し出力する火災検出回路５と、その火災検出回路５の出力に基づいて警報の要否を判別するマイコン８と、マイコン８からの火災出力を受けて警報を発する音声合成回路１０およびスピーカ１１と、を本体２０内に備え、マイコン８は火災検出回路５からの出力から火災を判別するための判別レベルが設定されていて、さらに、該判別レベルを変更できる感度設定回路９が本体２０の外部から操作できるように、感度設定用ツマミ２１が配置されているので、利用者が自分の好みに応じて簡単に判別レベルの調整を行うことができるという効果がある。
【００５８】
また、この火災警報器Ｓは、マイコン８からの火災出力によって発する警報音の音量を変更できる音量設定回路１３の音量設定用ツマミ２２が本体２０の外部から操作できるように配置されているので、利用者が自分の好みに応じて簡単に音量の調整を行うことができ、また追加や選択的に音質等の調整を行ってよく、鳴動に関して種々調整できるという効果がある。
【００５９】
なお、この火災警報器Ｓにおいて、火災判別レベルは検出値と直接比較されるレベルであったが、出力値の上昇率や積分値等の演算された値との比較であってもよく、また、感度や音量を調整するための両ツマミ２１、２２は、ディップスイッチ等を用いて複数の抵抗を組合せて抵抗値を選択するようにしてもよい。当然、警報音は音声メッセージではなく、ブザー音でもよい。
【００６０】
実施形態２
つぎに、本発明の実施形態２について説明する。この実施形態２の火災警報器Ｓｐは、上記実施形態１の火災警報器Ｓと同様の構造およびブロック構成を有しており、その実施形態１との相違点は、火災警報器Ｓｐが単に火災検出回路５の出力の基づいて火災警報を発するのみでなく、火災判別レベルと同様のプレアラームレベルを有し、このプレアラームレベルが火災判別レベルよりも高感度レベルであることにより、通常の火災警報よりも早期に予備警報を発することができる。そして、マイコン８の出力に基づく音声合成回路１０によるスピーカ１１からの音声警報も火災音声「火事です。火事です。」のみでなく、火災の予備警報を示す音声メッセージとしてのプレ音声「現場を確認して下さい。」を発声するものである。
【００６１】
そして、火災警報器Ｓｐの感度設定用ツマミ２１の回動によって感度設定回路９に設定されるレベルは、プレアラームレベルであり、また、火災警報器Ｓｐの音量設定用ツマミ２２の回動によって音量設定回路１３で調整される音量は、プレ音声の発生時の音量である。したがって、火災警報器Ｓｐの火災判別レベルは一定であるとともに、火災警報も所定の音量で発声される。これによって、この火災警報器Ｓｐの火災警報は固定的であるので確実に行えるという利点がある。
【００６２】
また、プレアラームレベルの設定については、従来の如く火災判別レベルよりも高感度に設定されるが、火災判別レベルが約５％／ｍであるときに、プレアラームレベルを例えば約２．５％／ｍにすることができる。火災判別レベルが固定的で確実に警報されることから、このプレアラームレベルは高感度側に広く対応させることが可能であり、例えば約０．５〜４％／ｍとかなり低いところからの調整を可能とすることができる。
【００６３】
そして、予備警報について、プレアラームレベルが上記のように低くなるほど、誤報の発声する可能性も高くなる。それに合わせて、予備警報の音量も小さくすることで、誤報が頻発しても周囲に与える迷惑を小さくすることが可能となる。この高感度のレベル設定および小さい音量の警報の組合せにより、誤報の可能性を含めた極初期火災での対応を可能とし、実際に火災が発生するときに、安全に消火や避難などすることができる。
【００６４】
このような、火災警報器Ｓｐの動作について、上記実施形態１とほぼ同様であるが、相違点について説明する。
【００６５】
まず、全体的な動きは同じであり、各ルーチンは同じように実行される。その中で、火災監視処理のルーチンについては、火災検出回路５からの検出値に対して、火災判別レベルと同様に、感度設定回路９の設定に基づいたプレアラームレベルとの比較が行われる。そして、検出値が火災判別レベルを越えず、かつ、プレアラームレベルを越える場合に、予備警報フラグをセットする。この予備警報フラグは、火災判別レベルを越える場合の火災フラグと同様に扱われる。すなわち、火災判別処理において、火災音声停止フラグのクリアは、火災フラグをクリアする場合だけでなく、予備警報フラグもクリアするアンド条件の場合であって、５分間タイマの継続は、火災フラグがセットされている場合のみでなく、予備警報フラグがセットされているオア条件の場合となる。
【００６６】
つぎに、音声を発する監視結果出力処理のルーチンにおいて、火災フラグおよび予備警報フラグの有無を見て、火災フラグがセットされているときに、火災音声停止フラグがセットされていなければ、火災音声「火事です。火事です。」を固定の音量で出力し、同様に、予備警報フラグがセットされているときに、火災音声停止フラグがセットされていなければ、プレ音声「現場を確認して下さい。」を、音量設定回路１３の設定に基づいた音量で出力する。
【００６７】
この実施形態２における火災警報器Ｓｐでは、マイコン８は、判別レベルとして火災判別レベルとプレアラームレベルとを有し、火災判別レベルは固定であり、プレアラームレベルは感度設定用ツマミ２１による感度設定回路９によって調整できることによって、一般的な火災判別機能を保証するという効果がある。
【００６８】
さらに、この火災警報器Ｓｐは、マイコン８からの火災判別レベルに基づく火災音声およびプレアラームレベルからのプレ音声のそれぞれに応じた警報音を発生し、該火災音声の音量は固定であり、プレ音声の音量は音量設定用ツマミ２２による音量設定回路１３によって調整できるものであり、一般的な火災警報機能を保証するという効果がある。
【００６９】
なお、この実施形態２における火災音声およびプレ音声は、火災発生時の緊急性が異なることから、当初の設定で、プレ音声をやさしい音色に、火災音声をきつい音色にしておくことが望ましい。
【００７０】
実施形態３
つぎに、本発明の実施形態３について説明する。この実施形態３の火災警報器Ｓｄは、上記実施形態２と同様、上記実施形態１の火災警報器Ｓと同様の構造およびブロック構成を有しており、その実施形態１との相違点は、上記実施形態２の火災警報器Ｓｐと同様に、火災検出回路５の出力の基づいて火災警報を発するのみでなく、火災判別レベルと同様のプレアラームレベルを有することである。
【００７１】
そして、さらに上記実施形態２の火災警報器Ｓｐとの相違点は、マイコン８の出力に基づく音声合成回路１０によるスピーカ１１からの音声として、火災音声「火事です。火事です。」、プレ音声「現場を確認して下さい。」以外に、火災警報器Ｓｐの設置場所での環境劣化としての汚損を示す音声メッセージとしての汚損音声「空気が汚れています。」を有していることである。
【００７２】
すなわち、上記実施形態２の火災警報器Ｓｐのように、プレアラームレベルを極めて低く、高感度に設定できるようになると、火災検出回路５が出力する検出値が、煙を検出する場合には、空気の汚損のような環境中の異常、塵埃や喫煙による出力ということもある。したがって、この実施形態３の火災警報器Ｓｄでは、プレ音声と同時に汚損音声を含めて発生するようにしている。
【００７３】
このような、火災警報器Ｓｄの動作について、上記実施形態２とほぼ同様であり、相違点について簡単に説明する。
【００７４】
まず、全体的な動きおよび各ルーチンは同じように実行される。その中で、火災監視処理のルーチンも同様であり、火災検出回路５からの検出値に対して、火災判別レベルと同様に、感度設定回路９の設定に基づいたプレアラームレベルとの比較が行われ、その結果にしたがって、火災フラグまたは予備警報フラグがセットされる。
【００７５】
そして、音声を発する監視結果出力処理のルーチンでは、上記実施形態２の火災警報器Ｓｐと若干の相違点があり、火災フラグおよび予備警報フラグの有無を見て、火災フラグがセットされているときに、火災音声停止フラグがセットされていなければ、火災音声「火事です。火事です。」を固定の音量で出力することは変わらず、予備警報フラグがセットされているときに、火災音声停止フラグがセットされていなければ、ここでは、汚損音声「空気が汚れています。」と、プレ音声「現場を確認して下さい。」とを、音量設定回路１３の設定に基づいた音量で出力する。これによって、火災の発生確認のみならず、禁煙場所での喫煙注意等の警告にも使用することが可能となる。これらのプレ音声および汚損音声は個別に設定されずとも一体化されて良く、メッセージ内容も例示した文言に限らない。
【００７６】
なお、この実施形態３の変形例として、上記のプレ音声と汚損音声とを選択的に発生させるように設定できる手段、例えば選択スイッチを設けて、汚損音声のみの発声に限定することができる。この場合、プレ音声は火災警報の内容、汚損音声は汚損を警告する内容と、発声する文言を特定事項にまとめることができ、兼用する場合のように長文化しない。
【００７７】
なお、上記の設定手段によって、動作としては、スイッチ入力判定処理のルーチンにおいて、選択スイッチのオンで汚損フラグをセットし、また、オフで汚損フラグをクリアする。また、監視結果出力処理のルーチンでは、予備警報フラグがセットされていてプレ音声を発声しようとするときに、汚損フラグの有無を見て、汚損フラグがセットされているときには、汚損音声「空気が汚れています。」を、また、汚損フラグがセットされていなければ、プレ音声「現場を確認して下さい。」を、発声する。これらのプレ音声および汚損音声は、内容も例示した文言に限らず、汚損警報として、「ここは禁煙です。タバコはやめましょう。」のように、禁煙場所に設置することを前提のメッセージとすることも可能である。
【００７８】
さらに、汚損警報として、禁煙場所や喫煙場所の違いや換気の要否などによって複数の音声内容を準備して、上記選択スイッチをを必要数設けることによって、汚損音声を選択的に設定することも可能である。
【００７９】
このように、火災警報器Ｓｄは、音声メッセージによる警報音を発するとともに、プレ出力に対する警報音には汚損に対するメッセージを包含あるいは選択できるものであり、音声メッセージに汚損に対するメッセージを利用できるので、環境に応じて、喫煙センサや汚損検出センサのような用途を含めさせることができるという効果がある。
【図面の簡単な説明】
【００８０】
【図１】この発明の第１の実施形態を示すブロック回路図。
【図２】第１の実施形態の外観を示す背面図。
【図３】第１の実施形態の外観を示す側面図。
【図４】第１の実施形態の外観を示す正面図。
【図５】第１の実施形態の取り付け方法を示す説明図。
【符号の説明】
【００８１】
５  火災検出回路
８  マイコン
９  感度設定回路
１０  音声合成回路
１１  スピーカ
１３  音量設定回路
２１  感度設定用ツマミ
２２  音量設定用ツマミ
【図１】
2005293309.tif 000003
【図２】
2005293309.tif 000004
【図３】
2005293309.tif 000005
【図４】
2005293309.tif 000006
【図５】
2005293309.tif 000007